(57)【要約】【課題】利便性を向上させることができる読取装置を提供する。【解決手段】読取装置１は、識別画像及び複数の文字画像を含む原稿画像を読み取る。読取装置１は、読取部６と、記憶部９と、制御部１０とを備える。読取部６は、原稿画像を読み取って原稿画像データを出力する。記憶部９は、原稿画像データを記憶する。制御部１０は、複数の文字画像の中から識別画像に重なる文字画像を取得する。制御部１０は、識別画像に重なる文字画像と識別画像の色彩とに基づいて、原稿画像データを識別するファイル名を生成する。制御部１０は、ファイル名を示すデータを原稿画像データと関連付けて記憶部９に記憶させる。【選択図】図３
2020120291.tif 000002
【特許請求の範囲】
【請求項１】
識別画像及び複数の文字画像を含む原稿画像を読み取る読取装置であって、
前記原稿画像を読み取って原稿画像データを出力する読取部と、
前記原稿画像データを記憶する記憶部と、
前記複数の文字画像の中から前記識別画像に重なる前記文字画像を取得する制御部と
を備え、
前記制御部は、
前記識別画像に重なる前記文字画像と前記識別画像の色彩とに基づいて、前記原稿画像データを識別するファイル名を生成し、
前記ファイル名を示すデータを前記原稿画像データと関連付けて前記記憶部に記憶させる、読取装置。
【請求項２】
前記ファイル名は、前記文字画像が示す識別文字を含む、請求項１に記載の読取装置。
【請求項３】
ユーザー名を示す情報が入力される操作部を更に有し、
前記ファイル名は、日付、シーケンス番号、及び前記ユーザー名のうちの少なくとも１つを更に含む、請求項２に記載の読取装置。
【請求項４】
前記制御部は、
前記識別文字がアルファベット、数字、及びカタカナ文字のいずれかに該当するか否かを判定し、
前記識別文字がアルファベット、数字、及びカタカナ文字のいずれかに該当すると判定すると、前記識別文字が全角文字であるか否かを判定し、
前記識別文字が前記全角文字であると判定すると、前記識別文字を半角文字に変換し、前記半角文字に変換した後の前記識別文字を含むように、前記ファイル名を生成する、請求項２又は請求項３に記載の読取装置。
【請求項５】
前記制御部は、
前記識別文字がアルファベット、数字、及びカタカナ文字のいずれかに該当するか否かを判定し、
前記識別文字がアルファベット、数字、及びカタカナ文字のいずれかに該当すると判定すると、前記識別文字が半角文字であるか否かを判定し、
前記識別文字が前記半角文字であると判定すると、前記識別文字を全角文字に変換し、前記全角文字に変換した後の前記識別文字を含むように、前記ファイル名を生成する、請求項２〜請求項４のいずれか１項に記載の読取装置。
【請求項６】
前記制御部は、
前記識別文字が漢字、ひらがな文字、及びカタカナ文字のいずれかに該当するか否かを判定し、
前記識別文字が漢字、ひらがな文字、及びカタカナ文字のいずれかに該当すると判定すると、前記識別文字をローマ字表記に変換し、
ローマ字表記に変換した後の前記識別文字を含むように、前記ファイル名を生成する、請求項２又は請求項３に記載の読取装置。
【請求項７】
前記制御部は、
前記原稿画像の中に前記複数の識別画像が含まれるか否かを判定し、
前記原稿画像の中に前記複数の識別画像が含まれると判定すると、前記複数の識別画像の各々に重なる前記文字画像を取得し、
前記複数の識別画像の各々に重なる前記文字画像に基づいて、前記ファイル名を生成する、請求項１〜請求項６のいずれか１項に記載の読取装置。
【請求項８】
前記識別画像は、前記文字画像とは異なる色彩を有するマーキング画像である、請求項１〜請求項７のいずれか１項に記載の読取装置。
【請求項９】
請求項１〜請求項８のいずれか１項に記載の読取装置と、
前記原稿画像データに基づいて画像を形成する画像形成部と
を備える、画像形成装置。
【発明の詳細な説明】
【技術分野】
【０００１】
本発明は、読取装置、及び画像形成装置に関する。
【背景技術】
【０００２】
スキャナーのような読取装置は、原稿の画像を読み取って原稿画像データを生成する。特許文献１には、生成した原稿画像データのファイル名を自動で設定する画像形成装置が開示されている。詳しくは、特許文献１に開示の画像形成装置は、画像読取部と、制御部とを備える。画像読取部は、原稿の画像を読み取る。制御部は、画像読取部が読み取った原稿の原稿画像データに含まれる文字を認識する。制御部は、認識した文字を原稿画像データのファイル名に設定する。
【先行技術文献】
【特許文献】
【０００３】
【特許文献１】特開２０１１−１５５５４８号公報
【発明の概要】
【発明が解決しようとする課題】
【０００４】
しかしながら、特許文献１に開示の画像形成装置では、原稿画像データに含まれる文字のうち、制御部が認識した文字がファイル名として設定される。このため、原稿画像データに含まれない文字をファイル名として設定することができない。この結果、ユーザーの利便性が低下する。
【０００５】
本発明は、上記課題に鑑み、ユーザーの利便性を向上させる読取装置を提供することを目的とする。
【課題を解決するための手段】
【０００６】
本発明に係る読取装置は、識別画像及び複数の文字画像を含む原稿画像を読み取る。当該読取装置は、読取部と、記憶部と、制御部とを備える。前記読取部は、前記原稿画像を読み取って原稿画像データを出力する。前記記憶部は、前記原稿画像データを記憶する。前記制御部は、前記複数の文字画像の中から前記識別画像に重なる前記文字画像を取得する。前記制御部は、前記識別画像に重なる前記文字画像と前記識別画像の色彩とに基づいて、前記原稿画像データを識別するファイル名を生成する。前記制御部は、前記ファイル名を示すデータを前記原稿画像データと関連付けて前記記憶部に記憶させる。
【０００７】
本発明に係る画像形成装置は、上記の読取装置と、画像形成部とを備える。前記画像形成部は、前記原稿画像データに基づいて画像を形成する。
【発明の効果】
【０００８】
本発明によれば、ユーザーの利便性が向上する。
【図面の簡単な説明】
【０００９】
【図１】本発明の実施形態１に係る読取装置の構成を示す図である。
【図２】本発明の実施形態１に係る読取装置の構成を示す図である。
【図３】本発明の実施形態１に係る読取装置の構成を示すブロック図である。
【図４】本発明の実施形態１に係る原稿画像の一例を示す図である。
【図５】本発明の実施形態１に係る命名規則テーブルの一例を示す図である。
【図６】本発明の実施形態１に係るファイル名生成処理を示すフローチャートである。
【図７】（ａ）及び（ｂ）は、本発明の実施形態１に係るファイル名生成処理を説明するための図である。
【図８】（ａ）〜（ｃ）は、本発明の実施形態１に係るファイル名生成処理を説明するための図である。
【図９】本発明の実施形態２に係るファイル名生成処理を示すフローチャートである。
【図１０】本発明の実施形態２に係るファイル名生成処理を説明するための図である。
【図１１】本発明の実施形態３に係るファイル名生成処理を示すフローチャートである。
【図１２】本発明の実施形態３に係るファイル名生成処理を説明するための図である。
【図１３】本発明の実施形態４に係るファイル名生成処理を示すフローチャートである。
【図１４】本発明の実施形態４に係るファイル名生成処理を説明するための図である。
【図１５】本発明の実施形態５に係る画像形成装置の構成を示す図である。
【発明を実施するための形態】
【００１０】
［実施形態１］
以下、図面を参照して、本発明に係る読取装置及び画像形成装置の実施形態について説明する。なお、図中、同一又は相当部分については同一の参照符号を付して説明を繰り返さない。
【００１１】
まず、図１を参照して、本発明の実施形態１に係る読取装置１の構成について説明する。図１は、実施形態１に係る読取装置１の構成を示す図である。本実施形態において、読取装置１は、スキャナーである。
【００１２】
図１に示すように、読取装置１は、筐体２、カバー３、コンタクトガラス４、及び操作部５を有する。
【００１３】
筐体２は、カバー３を開閉自在に支持する。コンタクトガラス４は、筐体２から上面の一部が露出するように、筐体２に設けられる。コンタクトガラス４は、カバー３が開姿勢である場合、筐体２の上面から露出する。一方、コンタクトガラス４は、カバー３が閉姿勢である場合、カバー３によって覆われる。コンタクトガラス４には、原稿が載置される。
【００１４】
操作部５は、ユーザーによる入力を受け付ける。操作部５は、例えば、ユーザー情報の入力を受け付ける。ユーザー情報は、ユーザー名を示す情報及びパスワードを示す情報を含む。操作部５は、ユーザーによる入力を受け付けると、ユーザーによる入力を示す信号を出力する。
【００１５】
操作部５は、タッチパネル５１、及び操作キー部５２を有する。タッチパネル５１は、ディスプレー及びタッチセンサーを含む。
【００１６】
ディスプレーは、各種画面を表示する。本実施形態において、ディスプレーは、液晶ディスプレーである。なお、ディスプレーは、液晶ディスプレーに限定されない。ディスプレーは、例えば、有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）であってもよい。
【００１７】
タッチセンサーは、ユーザーによる指示を受け付けて、ユーザーによる指示を示す信号を出力する。本実施形態において、タッチセンサーは、抵抗膜方式のタッチセンサーである。なお、タッチセンサーは、抵抗膜方式のタッチセンサーに限定されない。タッチセンサーは、例えば、静電容量方式のタッチセンサーであってもよい。
【００１８】
操作キー部５２は、複数の操作キーを有する。複数の操作キーは、例えば、テンキー、スタートキー、及びストップキーを含む。
【００１９】
続いて、図２を参照して、本発明の実施形態１に係る読取装置１の構成について更に説明する。図２は、実施形態１に係る読取装置１の構成を示す図である。図２に示すように、読取装置１は、読取部６を更に有する。
【００２０】
読取部６は、原稿の画像を読み取って原稿の画像を示すデータを出力する。以下、原稿の画像を「原稿画像」と記載し、原稿画像を示すデータを「原稿画像データ」と記載する。本実施形態において、読取部６は、光学縮小方式によって、原稿画像を読み取る。
【００２１】
読取部６は、光源６１、キャリッジ６２、光学系６３、及びＣＣＤ（Ｃｈａｒｇｅ−Ｃｏｕｐｌｅｄ  Ｄｅｖｉｃｅ）イメージセンサー６４、及び駆動部を有する。光源６１は、例えば、ＬＥＤである。光源６１は、キャリッジ６２に支持される。駆動部は、例えば、モーターを有する。キャリッジ６２は、駆動部のモーターが駆動することにより、副走査方向Ｓ１に移動する。この結果、光源６１が副走査方向Ｓ１に移動する。光源６１は、副走査方向Ｓ１に移動しながら、コンタクトガラス４上に載置された原稿に対して光を照射する。光学系６３は、原稿から反射する光をＣＣＤイメージセンサー６４に導く。ＣＣＤイメージセンサー６４は、光学系６３によって導かれた光を電気信号（原稿画像を示す信号）に変換して出力する。この結果、原稿画像データが出力される。
【００２２】
続いて、図３を参照して、本発明の実施形態１に係る読取装置１の構成について更に説明する。図３は、実施形態１に係る読取装置１の構成を示すブロック図である。
【００２３】
図３に示すように、読取装置１は、記憶部９、及び制御部１０を更に備える。
【００２４】
記憶部９は、各種データを記憶する。各種データは、原稿画像データを含む。記憶部９は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。本実施形態において、記憶部９は、命名規則テーブル９１を記憶する。命名規則テーブル９１は、ユーザーによって予め設定されることにより記憶部９に記憶される。命名規則テーブル９１については、図５を参照して後述する。
【００２５】
制御部１０は、ＣＰＵ（Ｃｅｎｔｒａｌ  Ｐｒｏｃｅｓｓｉｎｇ  Ｕｎｉｔ）のようなプロセッサーによって構成される。制御部１０は、記憶部９に記憶された制御プログラムを実行することにより、読取装置１の各部の動作を制御する。制御部１０は、例えば、読取部６の動作を制御することにより原稿画像データを読取部６に出力させる。制御部１０は、読取部６が出力した原稿画像データを受信する。
【００２６】
制御部１０は、原稿画像データを受信すると、ファイル名生成処理を実行する。ファイル名生成処理において、制御部１０は、受信した原稿画像データのファイル名を生成する。換言すると、制御部１０は、読取部６が読み取った原稿の原稿画像データのファイル名を生成する。制御部１０は、生成したファイル名を示すデータを原稿画像データと関連付けて記憶部９に記憶させる。なお、ファイル名生成処理については、図６を参照して後述する。
【００２７】
続いて、図１〜図４を参照して、本発明の実施形態１に係る原稿画像Ｇについて説明する。図４は、実施形態１に係る原稿画像Ｇの一例を示す図である。
【００２８】
図４に示すように、原稿画像Ｇは、文字画像ＴＧと識別画像ＭＧとを含む。本実施形態において、文字画像ＴＧは、第１文字画像ＴＧ１、第２文字画像ＴＧ２、第３文字画像ＴＧ３、及び第４文字画像ＴＧ４を含む。第１文字画像ＴＧ１、第２文字画像ＴＧ２、第３文字画像ＴＧ３、及び第４文字画像ＴＧ４の位置は、上下方向においてそれぞれ異なる。詳しくは、第１文字画像ＴＧ１、第２文字画像ＴＧ２、第３文字画像ＴＧ３、及び第４文字画像ＴＧ４は、この順で上から並んでいる。
【００２９】
第１文字画像ＴＧ１、第２文字画像ＴＧ２、第３文字画像ＴＧ３、及び第４文字画像ＴＧ４の各々は、横書きされた文字によって構成される。詳しくは、第１文字画像ＴＧ１、第２文字画像ＴＧ２、第３文字画像ＴＧ３、及び第４文字画像ＴＧ４の各々は、３つの横書きの文字によって構成される。具体的には、第１文字画像ＴＧ１は、文字「ＡＢＣ」によって構成され、第２文字画像ＴＧ２は、文字「ＤＥＦ」によって構成され、第３文字画像ＴＧ３は、文字「ＧＨＩ」によって構成され、第４文字画像ＴＧ４は、文字「ＪＫＦ」によって構成される。なお、本実施形態において、文字「ＡＢＣ」、文字「ＤＥＦ」、文字「ＧＨＩ」、及び文字「ＪＫＦ」は、すべて全角文字である。
【００３０】
第１文字画像ＴＧ１、第２文字画像ＴＧ２、第３文字画像ＴＧ３、及び第４文字画像ＴＧ４はそれぞれ、色彩を有する。本実施形態において、第１文字画像ＴＧ１、第２文字画像ＴＧ２、第３文字画像ＴＧ３、及び第４文字画像ＴＧ４の各々の色彩は、同一であり、黒色である。
【００３１】
識別画像ＭＧは、文字画像ＴＧを識別させるための画像である。本実施形態において、識別画像ＭＧは、略矩形形状を有する。
【００３２】
識別画像ＭＧは、単色のソリッド画像である。即ち、識別画像ＭＧは、色彩を有し、略同一の色彩が連続する領域を含む。図４では、識別画像ＭＧは、右上がりの斜めハッチングで示されている。本実施形態において、右上がりの斜めハッチングは、識別画像ＭＧの色彩が黄色であることを示す。識別画像ＭＧは、例えば、マーキング画像である。マーキング画像は、例えば、文字画像ＴＧを目立たせる（ハイライトさせる）ことを目的として描かれる。マーキング画像は、例えば、蛍光色のペンなどによって描かれる。
【００３３】
識別画像ＭＧは、文字画像ＴＧの少なくとも一部に重なる。具体的には、識別画像ＭＧは、文字画像ＴＧを構成する少なくとも１つの文字に外接する矩形領域の全領域に重なる。図４に示す例において、識別画像ＭＧは、第１文字画像ＴＧ１を構成する３つの文字「ＡＢＣ」に外接する矩形領域の全領域に重なる。換言すると、識別画像ＭＧは、３つの文字「ＡＢＣ」のすべてに重なる。
【００３４】
制御部１０は、ファイル名生成処理において、原稿画像Ｇに識別画像ＭＧが含まれるか否かを判定する。制御部１０は、原稿画像Ｇに識別画像ＭＧが含まれると判定すると、識別文字と、識別画像色彩とを取得する。識別文字は、識別画像ＭＧに重なる文字画像ＴＧによって示される文字である。識別画像色彩は、識別画像ＭＧの色彩を示す。
【００３５】
制御部１０は、識別画像色彩を取得すると、記憶部９に記憶された命名規則テーブル９１を参照し、識別画像色彩に対応する命名規則にしたがって原稿画像データのファイル名を生成する。
【００３６】
続いて、図１〜図５を参照して、本発明の実施形態１に係る命名規則テーブル９１について説明する、図５は、実施形態１に係る命名規則テーブル９１の一例を示す図である。
【００３７】
図５に示すように、命名規則テーブル９１は、識別画像色彩９１１と命名規則９１２とを関連付ける。ユーザーは、識別画像色彩９１１とそれに対応する命名規則９１２とを予め関連付けて命名規則テーブル９１に登録する。
【００３８】
図５に示す例において、４色の色彩が識別画像色彩９１１として登録されている。具体的には、「黄色」、「緑色」、「青色」、及び「赤色」が識別画像色彩９１１として登録されている。
【００３９】
また、識別画像色彩９１１として登録された色彩の各々に対して、異なる命名規則９１２が関連付けられている。
【００４０】
具体的には、識別画像色彩９１１「黄色」に対して、命名規則９１２「識別文字」が関連付けられている。したがって、制御部１０は、識別画像色彩９１１が「黄色」である場合、識別文字をファイル名に使用する。
【００４１】
また、識別画像色彩９１１「緑色」に対して、命名規則９１２「識別文字＋日付」が関連付けられている。したがって、制御部１０は、識別画像色彩９１１が「緑色」である場合、識別文字と日付とをファイル名に使用する。換言すると、制御部１０は、識別文字に日付を示す文字列を付加した文字列をファイル名として使用する。日付は、例えば、制御部１０が原稿画像データを読取部６から受信した日付を示す。
【００４２】
また、識別画像色彩９１１「青色」に対して、命名規則９１２「識別文字＋シーケンス番号」が関連付けられている。したがって、制御部１０は、識別画像色彩９１１が「青色」である場合、識別文字とシーケンス番号とをファイル名として使用する。換言すると、制御部１０は、識別文字にシーケンス番号を示す文字列を付加した文字列をファイル名として使用する。
【００４３】
また、識別画像色彩９１１「赤色」に対して、命名規則９１２「識別文字＋ユーザー名」が関連付けられている。したがって、制御部１０は、識別画像色彩９１１「赤色」である場合、識別文字とユーザー名とをファイル名として使用する。換言すると、制御部１０は、識別文字にユーザー名を示す文字列を付加した文字列をファイル名として使用する。
【００４４】
続いて、図１〜図６を参照して、本発明の実施形態１に係るファイル名決定処理について説明する。図６は、実施形態１に係るファイル名決定処理を示す図である。制御部１０は、原稿画像データを受信すると、ファイル名決定処理を実行する。
【００４５】
図６に示すように、制御部１０は、原稿画像Ｇに識別画像ＭＧが含まれるか否かを判定する（ステップＳ１０１）。原稿画像Ｇに識別画像ＭＧが含まれるか否かの判定は、例えば、既知の文字認識技術を利用することにより行われる。制御部１０は、原稿画像Ｇに識別画像ＭＧが含まれないと判定すると（ステップＳ１０１；Ｎｏ）、標準規則にしたがって原稿画像データのファイル名を生成し（ステップＳ１０５）、ファイル名生成処理を終了する。なお、標準規則を示すデータは、予め設定されて記憶部９に記憶されている。標準規則は、例えば、原稿画像データが出力された日付を示す文字列と時刻を示す文字列とを結合させた文字列（数字）をファイル名として使用するという規則である。
【００４６】
一方、制御部１０は、原稿画像Ｇに識別画像ＭＧが含まれると判定すると（ステップＳ１０１；Ｙｅｓ）、識別画像ＭＧに重なる文字画像ＴＧが示す文字を識別文字として取得し（ステップＳ１０２）、識別画像色彩９１１を取得する（ステップＳ１０３）。制御部１０は、例えば、既知の文字認識技術を利用することによって、識別文字及び識別画像色彩９１１を取得する。
【００４７】
次いで、制御部１０は、識別画像色彩９１１に対応する命名規則９１２にしたがってファイル名を生成する（ステップＳ１０４）。詳しくは、制御部１０は、識別画像色彩９１１を取得すると、命名規則テーブル９１（図５参照）を参酌して、識別画像色彩９１１に関連付けられた命名規則９１２を取得する。制御部１０は、識別画像色彩９１１に関連付けられた命名規則９１２にしたがって識別名を生成する。制御部１０は、識別名を生成すると、識別名に拡張子を付加してファイル名を生成する。拡張子は、例えば、「．ｐｄｆ」である。
【００４８】
制御部１０は、ファイル名を生成すると、ファイル名を示すデータと原稿画像データとを関連付けて記憶部９に記憶させ、ファイル名生成処理を終了する。なお、ファイル名生成処理の順番は、上述した順番に限定されない。例えば、ステップＳ１０２とステップＳ１０３とは相互に入れ替え可能である。
【００４９】
続いて、図１〜図７（ｂ）を参照して、本発明の実施形態１に係るファイル名生成処理について具体的に説明する。
【００５０】
図７（ａ）及び図７（ｂ）は、実施形態１に係るファイル名生成処理を説明するための図である。なお、図７（ａ）に示す原稿画像Ｇは、図４を参照して説明した原稿画像Ｇと一致する。また、図７（ｂ）に示す原稿画像Ｇは、図７（ａ）に示す原稿画像Ｇと識別画像ＭＧの位置が異なる。詳しくは、図７（ａ）に示す識別画像ＭＧは、第１文字画像ＴＧ１に重なる。一方、図７（ｂ）に示す識別画像ＭＧは、第２文字画像ＴＧ２に重なる。以下、図７（ａ）に示す識別画像ＭＧを「第１識別画像ＭＧ１」と記載し、図７（ｂ）に示す識別画像ＭＧを「第２識別画像ＭＧ２」と記載する。
【００５１】
また、図７（ａ）及び図７（ｂ）の原稿画像Ｇの右側に示すｆｎは、図７（ａ）及び図７（ｂ）に示す原稿画像Ｇの各々に対応する原稿画像データのファイル名を示す。以下、図７（ａ）に示すファイル名ｆｎを「第１ファイル名ｆｎ１」と記載し、図７（ｂ）に示すファイル名ｆｎを「第２ファイル名ｆｎ２」と記載する。
【００５２】
図７（ａ）に示すように、第１識別画像ＭＧ１が第１文字画像ＴＧ１に重なる場合、制御部１０は、第１識別画像ＭＧ１と重なる第１文字画像ＴＧ１が示す文字「ＡＢＣ」を識別文字として取得する。また、制御部１０は、第１識別画像ＭＧ１の色彩を取得する。図４を参照して説明したように、右上がりの斜めハッチングは、第１識別画像ＭＧ１の色彩が「黄色」であることを示す。したがって、制御部１０は、第１識別画像ＭＧ１の色彩（識別画像色彩９１１）として「黄色」を取得する。
【００５３】
制御部１０は、識別画像色彩９１１を取得すると、取得した識別画像色彩９１１に対応する命名規則９１２にしたがってファイル名ｆｎを生成する。図７（ａ）に示す例において、識別画像色彩９１１は、「黄色」である。図５を参照して説明したように、識別画像色彩９１１「黄色」に対応する命名規則９１２は、「識別文字」である。したがって、制御部１０は、識別文字をファイル名ｆｎとして使用する。具体的には、制御部１０は、第１ファイル名ｆｎ１の識別名として、文字「ＡＢＣ」を使用する。そして、制御部１０は、識別名を生成すると、生成した識別名に拡張子を付加して、ファイル名ｆｎ（第１ファイル名ｆｎ１）を生成する。この結果、原稿画像データのファイル名ｆｎ（第１ファイル名ｆｎ１）として「ＡＢＣ．ｐｄｆ」が生成される。
【００５４】
一方、図７（ｂ）に示すように、第２識別画像ＭＧ２が第２文字画像ＴＧ２に重なる場合、制御部１０は、第２識別画像ＭＧ２と重なる第２文字画像ＴＧ２が示す文字「ＤＥＦ」を識別文字として取得する。また、制御部１０は、第２識別画像ＭＧ２の色彩を取得する。図４を参照して説明したように、右上がりの斜めハッチングは、第２識別画像ＭＧ２の色彩が「黄色」であることを示す。したがって、制御部１０は、第２識別画像ＭＧ２の色彩（識別画像色彩９１１）として「黄色」を取得する。
【００５５】
制御部１０は、識別画像色彩９１１を取得すると、図７（ａ）を参照して説明したのと同様にしてファイル名ｆｎを生成する。具体的には、制御部１０は、第２ファイル名ｆｎ２の識別名として、文字「ＤＥＦ」を使用する。そして、制御部１０は、識別名を生成すると、生成した識別名に拡張子を付加して、ファイル名ｆｎ（第２ファイル名ｆｎ２）を生成する。この結果、原稿画像データのファイル名ｆｎ（第２ファイル名ｆｎ２）として「ＤＥＦ．ｐｄｆ」が生成される。
【００５６】
続いて、図１〜図８（ｃ）を参照して、本発明の実施形態１に係るファイル名生成処理について更に説明する。
【００５７】
図８（ａ）〜図８（ｃ）は、実施形態１に係るファイル名生成処理を説明するための図である。図８（ａ）〜図８（ｃ）に示す原稿画像Ｇは、識別画像ＭＧが異なる。詳しくは、図８（ａ）〜図８（ｃ）に示す識別画像ＭＧのそれぞれはすべて、第１文字画像ＴＧ１に重なるものの、識別画像ＭＧの色彩がそれぞれ異なる。以下、図８（ａ）に示す識別画像ＭＧを「第３識別画像ＭＧ３」と記載し、図８（ｂ）に示す識別画像ＭＧを「第４識別画像ＭＧ４」と記載し、図８（ｃ）に示す識別画像ＭＧを「第５識別画像ＭＧ５」と記載する。
【００５８】
また、図８（ａ）〜図８（ｃ）の原稿画像Ｇの右側に示すｆｎは、図８（ａ）〜図８（ｃ）に示す原稿画像Ｇの各々に対応する原稿画像データのファイル名を示す。以下、図８（ａ）に示すファイル名ｆｎを「第３ファイル名ｆｎ３」と記載し、図８（ｂ）に示すファイル名ｆｎを「第４ファイル名ｆｎ４」と記載し、図８（ｃ）に示すファイル名ｆｎを「第５ファイル名ｆｎ５」と記載する。なお、本実施形態において、右下がり斜めハッチングは、識別画像ＭＧが「緑色」であることを示し、ダブルハッチングは、識別画像ＭＧが「青色」であることを示し、点ハッチングは、識別画像ＭＧが「赤色」であることを示す。
【００５９】
図８（ａ）に示すように、第３識別画像ＭＧ３の色彩が「緑色」である場合において、制御部１０は、識別文字及び識別画像色彩９１１を取得すると、取得した識別画像色彩９１１に対応する命名規則９１２にしたがってファイル名ｆｎを生成する。図５を参照して説明したように、識別画像色彩９１１「緑色」に対応する命名規則９１２は、「識別文字＋日付」である。したがって、制御部１０は、識別文字と日付とをファイル名ｆｎとして使用する。具体的には、制御部１０は、第３ファイル名ｆｎ３の識別文字として、文字「ＡＢＣ」と日付「２０１９０１１１」とを使用する。日付「２０１９０１１１」は、制御部１０が原稿画像データを受信した日付を示す。そして、制御部１０は、識別名を生成すると、生成した識別名に拡張子を付加して、ファイル名ｆｎ（第３ファイル名ｆｎ３）を生成する。この結果、原稿画像データのファイル名ｆｎ（第３ファイル名ｆｎ３）として「ＡＢＣ２０１９０１１１．ｐｄｆ」が生成される。
【００６０】
図８（ｂ）に示すように、第４識別画像ＭＧ４の色彩が「青色」である場合において、制御部１０は、識別文字及び識別画像色彩９１１を取得すると、取得した識別画像色彩９１１に対応する命名規則９１２にしたがってファイル名ｆｎを生成する。図５を参照して説明したように、識別画像色彩９１１「青色」に対応する命名規則９１２は、「識別文字＋シーケンス番号」である。したがって、制御部１０は、識別文字とシーケンス番号とをファイル名ｆｎとして使用する。具体的には、制御部１０は、第４ファイル名ｆｎ４の識別名として、識別文字「ＡＢＣ」とシーケンス番号「００１」とを使用する。シーケンス番号「００１」は、例えば、制御部１０が原稿画像データを受信した順番を示す。そして、制御部１０は、識別名を生成すると、生成した識別名に拡張子を付加して、ファイル名ｆｎ（第４ファイル名ｆｎ４）を生成する。この結果、原稿画像データのファイル名ｆｎ（第４ファイル名ｆｎ４）として「ＡＢＣ００１．ｐｄｆ」が生成される。
【００６１】
図８（ｃ）に示すように、第５識別画像ＭＧ５の色彩が「赤色」である場合において、制御部１０は、識別文字及び識別画像色彩９１１を取得すると、取得した識別画像色彩９１１に対応する命名規則９１２にしたがってファイル名ｆｎを生成する。図５を参照して説明したように、識別画像色彩９１１「赤色」に対応する命名規則９１２は、「識別文字＋ユーザー名」である。したがって、制御部１０は、識別文字とユーザー名とをファイル名ｆｎとして使用する。具体的には、制御部１０は、第４ファイル名ｆｎ４の識別名として、識別文字「ＡＢＣ」とユーザー名「ＵｓｅｒＡ」とを使用する。ユーザー名「ＵｓｅｒＡ」は、操作部５に入力されたユーザー名を示すデータを制御部１０が受信することにより取得される。そして、制御部１０は、識別名を生成すると、生成した識別名に拡張子を付加して、ファイル名ｆｎ（第５ファイル名ｆｎ５）を生成する。この結果、原稿画像データのファイル名ｆｎ（第５ファイル名ｆｎ５）として「ＡＢＣＵｓｅｒＡ．ｐｄｆ」が生成される。
【００６２】
以上、実施形態１について説明した。本実施形態によれば、ユーザーは、識別文字と、日付、シーケンス番号、及びユーザー名のうちの少なくとも１つの文字列とをファイル名ｆｎとして使用することができる。よって、ユーザーの利便性が向上する。
【００６３】
また、本実施形態によれば、ユーザーは、原稿画像Ｇに含まれる識別画像ＭＧの色彩を変更することにより、生成するファイル名ｆｎを変更することができる。この結果、ユーザーの利便性が向上する。
【００６４】
なお、本実施形態において、第１文字画像ＴＧ１〜第４文字画像ＴＧ４の各々が３つの文字によって構成される場合を説明したが、第１文字画像ＴＧ１〜第４文字画像ＴＧ４の各々は、１つ、２つ、又は４つ以上の文字によって構成されてもよい。
【００６５】
また、本実施形態において、第１文字画像ＴＧ１、第２文字画像ＴＧ２、第３文字画像ＴＧ３、及び第４文字画像ＴＧ４の各々の色彩が同一である場合を説明したが、第１文字画像ＴＧ１、第２文字画像ＴＧ２、第３文字画像ＴＧ３、及び第４文字画像ＴＧ４の各々の色彩は、識別画像ＭＧと区別できる限り、それぞれ異なってもよい。
【００６６】
また、本実施形態において、第１文字画像ＴＧ１、第２文字画像ＴＧ２、第３文字画像ＴＧ３、及び第４文字画像ＴＧ４の各々の色彩が黒色である場合を説明したが、第１文字画像ＴＧ１、第２文字画像ＴＧ２、第３文字画像ＴＧ３、及び第４文字画像ＴＧ４の各々の色彩は、識別画像ＭＧと区別できる限り黒色に限定されない。
【００６７】
また、本実施形態において、識別画像ＭＧが第１文字画像ＴＧ１を構成する３つの文字のすべてに重なったが、識別画像ＭＧは、第１文字画像ＴＧ１を構成する３つの文字のうちの１つの文字にのみ重なってもよい。この場合、識別文字は、識別画像ＭＧが重なった文字画像ＴＧによって示される文字（１つの文字）である。
【００６８】
また、本実施形態において、識別画像ＭＧの色彩が黄色、緑色、青色、及び赤色のいずれかである場合を説明したが、識別画像ＭＧの色彩は、黄色、緑色、青色、及び赤色のいずれかに限定されない。識別画像ＭＧの色彩は、例えば、紫色であってもよい。
【００６９】
また、本実施形態において、原稿画像データが記憶部９に記憶される場合を説明したが、原稿画像データは、記憶部９以外の記憶領域に記憶されてもよい。例えば、読取装置１が外部装置と接続する通信部を更に備えてもよい。この場合、原稿画像データは、外部装置の記憶領域に記憶されてもよい。通信部は、例えば、ＬＡＮ（Ｌｏｃａｌ  Ａｒｅａ  Ｎｅｔｗｏｒｋ）のようなネットワークに接続するネットワークアダプタである。あるいは、通信部は、公衆回線に接続するファクシミリ通信装置である。
【００７０】
［実施形態２］
続いて、図１〜図６、図９、及び図１０を参照して、実施形態２に係る読取装置１について説明する。実施形態２は、原稿画像Ｇが複数の識別画像ＭＧを含む点で実施形態１と異なる。以下、実施形態２について実施形態１と異なる点について説明し、実施形態１と重複する事項についての説明は割愛する。
【００７１】
図９は、実施形態２に係るファイル名生成処理を示すフローチャートである。図９に示すように、制御部１０は、原稿画像Ｇに識別画像ＭＧが含まれると判定すると（ステップＳ１０１；Ｙｅｓ）、原稿画像Ｇに複数の識別画像ＭＧが含まれるか否かを判定する（ステップＳ２０１）。原稿画像Ｇに複数の識別画像ＭＧが含まれないと制御部１０が判定すると（ステップＳ２０１；Ｎｏ）、ファイル名生成処理は、ステップＳ１０２へ進む。一方、制御部１０は、原稿画像Ｇに複数の識別画像ＭＧが含まれると判定すると（ステップＳ２０１；Ｙｅｓ）、複数の文字画像ＴＧに基づいてファイル名を生成する。具体的には、制御部１０は、複数の文字画像ＴＧの各々が示す識別文字を結合させる（ステップＳ２０２）。詳しくは、制御部１０は、複数の識別画像ＭＧを取得し、複数の識別画像ＭＧの各々に重なる文字画像ＴＧを取得する。そして、制御部１０は、複数の文字画像ＴＧの各々が示す識別文字を結合させる。制御部１０は、複数の文字画像ＴＧの各々が示す識別文字を結合させると、識別画像色彩９１１を取得し（ステップＳ１０３）、命名規則９１２にしたがってファイル名ｆｎを生成する（ステップＳ１０４）。詳しくは、制御部１０は、複数の文字画像ＴＧの各々が示す識別文字を結合させて、識別名を生成する。制御部１０は、識別名に拡張子を付加することによりファイル名ｆｎを生成する。
【００７２】
図９は、実施形態２に係るファイル名生成処理を説明するための図である。図９に示す原稿画像Ｇは、図４に示す原稿画像Ｇと識別画像ＭＧが複数である点が異なる。なお、図９に示すｆｎは、図９が示す原稿画像Ｇの原稿画像データのファイル名を示す。以下、図９に示すファイル名ｆｎを「第６ファイル名ｆｎ６」と記載する。
【００７３】
図９に示すように、原稿画像Ｇは、２つの識別画像ＭＧを含む。以下、２つの識別画像ＭＧの各々を「第６識別画像ＭＧ６」及び「第７識別画像ＭＧ７」と記載する。本実施形態において、第６識別画像ＭＧ６の色彩と第７識別画像色彩ＭＧ７の色彩とは同一である。具体的には、第６識別画像ＭＧ６の色彩及び第７識別画像ＭＧ７の色彩は、それぞれ「黄色」である。
【００７４】
第６識別画像ＭＧ６は、第１文字画像ＴＧ１「ＡＢＣ」に重なり、第７識別画像ＭＧ７は、第２文字画像ＴＧ２「ＤＥＦ」に重なる。したがって、制御部１０は、第１文字画像ＴＧ１が示す文字「ＡＢＣ」を識別文字として取得し、第２文字画像ＴＧ２が示す文字「ＤＥＦ」とを識別文字として取得する。以下、第１文字画像ＴＧ１が示す文字（識別文字）を「第１識別文字」と記載し、第２文字画像ＴＧ２が示す文字（識別文字）を「第２識別文字」と記載する。
【００７５】
制御部１０は、第１識別文字及び第２識別文字を取得すると、第１識別文字「ＡＢＣ」と第２識別文字「ＤＥＦ」とを結合させた文字を識別名として使用する。そして、制御部１０は、識別名を生成すると、生成した識別名に拡張子を付加して、ファイル名ｆｎ（第６ファイル名ｆｎ６）を生成する。この結果、原稿画像データのファイル名ｆｎ（第６ファイル名ｆｎ６）として「ＡＢＣＤＥＦ．ｐｄｆ」が生成される。
【００７６】
以上、実施形態２について説明した。本実施形態によれば、複数の識別画像ＭＧの各々に重なる識別文字が結合された文字をファイル名ｆｎとして使用することができる。この結果、ユーザーの利便性が向上する。
【００７７】
なお、本実施形態において、第６識別画像ＭＧ６の色彩と第７識別画像色彩ＭＧ７の色彩とがそれぞれ黄色である場合を説明したが、第６識別画像ＭＧ６の色彩と第７識別画像色彩ＭＧ７の色彩とは黄色でなくてもよい。制御部１０は、例えば、第６識別画像ＭＧ６の色彩と第７識別画像色彩ＭＧ７の色彩とが「緑色」である場合、第６ファイル名ｆｎ６として「ＡＢＣＤＥＦ２０１１０１１１．ｐｄｆ」を生成する。
【００７８】
また、本実施形態において、第６識別画像ＭＧ６の色彩と第７識別画像色彩ＭＧ７の色彩とが同一である場合を説明したが、第６識別画像ＭＧ６の色彩と第７識別画像色彩ＭＧ７の色彩とは異なってもよい。この場合、制御部１０は、それぞれの色彩に応じた命名規則９１２にしたがってファイル名ｆｎを生成する。例えば、制御部１０は、第６識別画像ＭＧ６の色彩が「緑色」であり、第７識別画像色彩ＭＧ７の色彩が「赤色」である場合、第６ファイル名ｆｎ６として「ＡＢＣＤＥＦ２０１１０１１１ＵｅｒＡ．ｐｄｆ」を生成する。
【００７９】
［実施形態３］
続いて、図１〜図６、図１１、及び図１２を参照して、実施形態３に係る読取装置１について説明する。実施形態３は、制御部１０が識別文字を全角文字から半角文字に変換する点で実施形態１及び実施形態２と異なる。以下、実施形態３について実施形態１及び実施形態２と異なる点について説明し、実施形態１及び実施形態２と重複する事項についての説明は割愛する。
【００８０】
図１１は、実施形態３に係るファイル名生成処理を示すフローチャートである。図１１に示すように、制御部１０は、識別文字を取得すると（ステップＳ１０２）、識別文字がアルファベット、数字、及びカタカナ文字のいずれかに該当するか否かを判定する（ステップＳ３０１）。識別文字がアルファベット、数字、及びカタカナ文字のいずれにも該当しないと制御部１０が判定すると（ステップＳ３０１；Ｎｏ）、ファイル名生成処理は、ステップＳ１０３へ進む。一方、制御部１０は、識別文字がアルファベット、数字、及びカタカナ文字のいずれかに該当すると判定すると（ステップＳ３０１；Ｙｅｓ）、識別文字が全角文字であるか否かを判定する（ステップＳ３０２）。識別文字が全角文字ではないと制御部１０が判定すると（ステップＳ３０２；Ｎｏ）、ファイル名生成処理は、ステップＳ１０３へ進む。一方、制御部１０は、識別文字が全角文字であると判定すると（ステップＳ３０２；Ｙｅｓ）、識別文字を半角文字に変換する（ステップＳ３０３）。次いで、制御部１０は、識別画像色彩９１１を取得し（ステップＳ１０３）、命名規則９１２にしたがってファイル名ｆｎを生成する（ステップＳ１０４）。詳しくは、制御部１０は、半角文字に変換した後の識別文字を含む識別名を生成する。制御部１０は、識別名に拡張子を付加することによりファイル名ｆｎを生成する。
【００８１】
図１２は、実施形態３に係るファイル名生成処理を説明するための図である。図１２に示す原稿画像Ｇは、図４に示す原稿画像Ｇと同一である。なお、図１２に示すｆｎは、図１２が示す原稿画像Ｇの原稿画像データのファイル名ｆｎを示す。以下、図１２に示すファイル名ｆｎを「第７ファイル名ｆｎ７」と記載する。
【００８２】
図１２に示すように、第１識別画像ＭＧ１は、第１文字画像ＴＧ１「ＡＢＣ」に重なる。したがって、制御部１０は、第１文字画像ＴＧ１が示す文字「ＡＢＣ」を取得する。本実施形態において、制御部１０は、識別文字を取得すると、識別文字がアルファベット、数字、及びカタカナ文字のいずれかに該当するか否かを判定する（図１１のステップＳ３０１）。
【００８３】
図１２に示す例において識別文字は、アルファベット文字である。したがって、制御部１０は、識別文字がアルファベット、数字、及びカタカナ文字のいずれかに該当すると判定する（図１１のステップＳ３０１；Ｙｅｓ）。次いで、制御部１０は、識別文字が全角文字であるか否かを判定する（図１１のステップＳ３０２）。図４を参照して説明したように、文字「ＡＢＣ」は、全角文字である。したがって、制御部１０は、識別文字が全角文字であると判定し（図１１のステップＳ３０２；Ｙｅｓ）、識別文字を半角文字に変換する（図１１のステップＳ３０３）。制御部１０は、半角文字に変換した後の識別文字に基づいて識別名を生成する。具体的には、制御部１０は、第７ファイル名ｆｎ７の識別名として半角文字に変換した文字「ＡＢＣ」を使用する。そして、制御部１０は、識別名を生成すると、生成した識別名に拡張子を付加して、ファイル名ｆｎ（第７ファイル名ｆｎ７）を生成する。この結果、原稿画像データのファイル名ｆｎ（第７ファイル名ｆｎ７）として「ＡＢＣ（半角文字）．ｐｄｆ」が生成される。
【００８４】
以上、実施形態３について説明した。本実施形態によれば、全角文字が半角文字に変換された文字がファイル名ｆｎに使用される。この結果、ファイル名ｆｎの長さを削減することができる。よって、ファイル名ｆｎに対するユーザーの視認性を向上させることができる、また、ファイル名の長さが削減されることにより、記憶部９の記憶領域を有効に使用することができる。
【００８５】
なお、本実施形態において、制御部１０は、識別文字が全角文字であるか否かを判定したが、制御部１０は、識別文字が全角文字及び半角文字のいずれに該当するか否かを判定してもよい。あるいは、制御部１０は、識別文字が半角文字であるか否かを判定してもよい。制御部１０は、識別文字が半角文字であると判定すると、識別文字を半角文字から全角文字に変換し、全角文字に変換した後の識別文字を含む識別名を生成してもよい。換言すると、制御部１０は、全角文字に変換した後の識別文字を含むようにファイル名ｆｎを生成してもよい。これにより、ユーザーの利便性が向上する。
【００８６】
［実施形態４］
続いて、図１〜図６、図１３、及び図１４を参照して、実施形態４に係る読取装置１について説明する。実施形態４は、制御部１０が識別文字をローマ字表記に変換する点で実施形態１〜実施形態３と異なる。以下、実施形態４について実施形態１〜実施形態３と異なる点について説明し、実施形態１〜実施形態３と重複する事項についての説明は割愛する。
【００８７】
図１３は、実施形態４に係るファイル名生成処理を示すフローチャートである。図１３に示すように、制御部１０は、識別文字を取得すると（ステップＳ１０２）、識別文字が漢字、ひらがな文字、及びカタカナ文字のいずれかに該当するか否かを判定する（ステップＳ４０１）。識別文字が漢字、ひらがな文字、及びカタカナ文字のいずれにも該当しないと制御部１０が判定すると（ステップＳ４０１；Ｎｏ）、ファイル名生成処理は、ステップＳ１０３へ進む。一方、制御部１０は、識別文字が漢字、ひらがな文字、及びカタカナ文字のいずれかに該当すると判定すると（ステップＳ４０１；Ｙｅｓ）、識別文字をローマ字表記に変換する（ステップＳ４０２）。次いで、制御部１０は、識別画像色彩９１１を取得し（ステップＳ１０３）、命名規則９１２にしたがってファイル名ｆｎを生成する（ステップＳ１０４）。詳しくは、制御部１０は、ローマ字表記に変換した後の識別文字を含む識別名を生成する。制御部１０は、識別名に拡張子を付加することによりファイル名ｆｎを生成する。
【００８８】
図１４は、実施形態４に係るファイル名生成処理を説明するための図である。図１４に示す原稿画像Ｇは、図４に示す原稿画像Ｇのうち、第１文字画像ＴＧ１に代えて第５文字画像ＴＧ５を含む点で異なる。詳しくは、第５文字画像ＴＧ５は、ひらがな文字「あいう」によって構成される。また、原稿画像Ｇは、第５文字画像ＴＧ５に重なる識別画像ＭＧを含む。以下、第５文字画像ＴＧ５に重なる識別画像ＭＧを「第８識別画像ＭＧ８」と記載する。なお、図１４に示すｆｎは、図１４が示す原稿画像Ｇの原稿画像データのファイル名ｆｎを示す。以下、図１４に示すファイル名ｆｎを「第８ファイル名ｆｎ８」と記載する。
【００８９】
図１４に示すように、第８識別画像ＭＧ８は、第５文字画像ＴＧ５「あいう」に重なる。したがって、制御部１０は、第５文字画像ＴＧ５が示す文字「あいう」を識別文字として取得する。本実施形態において、制御部１０は、識別文字を取得すると、識別文字が、漢字、ひらがな文字、及びカタカナ文字のいずれかに該当するか否かを判定する。
【００９０】
図１４に示す例において、識別文字は、ひらがな文字である。したがって、制御部１０は、識別文字が、漢字、ひらがな文字、及びカタカナ文字のいずれかに該当すると判定し（図１３のステップＳ４０１；Ｙｅｓ）、識別文字をローマ字表記に変換する（図１３のステップＳ４０２）。制御部１０は、ローマ字表記に変化した後の識別文字に基づいて識別名を生成する。具体的には、制御部１０は、第８ファイル名ｆｎ８の識別名としてローマ字表記に変換した文字「ａｉｕ」を使用する。そして、制御部１０は、識別名を生成すると、生成した識別名に拡張子を付加して、ファイル名ｆｎ（第８ファイル名ｆｎ８）を生成する。この結果、原稿画像データのファイル名ｆｎ（第８ファイル名ｆｎ８）として「ａｉｕ．ｐｄｆ」が生成される。
【００９１】
以上、実施形態４について説明した。本実施形態によれば、ローマ字表記に変換された文字がファイル名ｆｎに使用される。この結果、文字化け等の発生が抑制される。
【００９２】
［実施形態５］
続いて、図１〜図１５を参照して、実施形態５に係る画像形成装置１００について説明する。実施形態５は、読取装置１が画像形成装置１００に備えられる点で実施形態１〜実施形態４と異なる。以下、実施形態１〜実施形態４と異なる点について説明し、実施形態１〜実施形態４と重複する事項についての説明は割愛する。
【００９３】
図１５は、実施形態５に係る画像形成装置１００の構成を示す図である。本実施形態において、画像形成装置１００は、電子写真方式の複合機である。
【００９４】
図１５に示すように、画像形成装置１００は、読取装置１に加え、操作部１１０、給紙部１２０、搬送部１３０、画像形成部１４０、排出部１５０、記憶部１８０、及び制御部１９０を備える。
【００９５】
操作部１１０は、ユーザーによる入力を受け付ける。操作部１１０は、ユーザーによる入力を受け付けると、ユーザーによる入力を示す信号を出力する。操作部１１０は、タッチパネル１１１及び操作キー部１１２を含む。タッチパネル１１１は、ディスプレー及びタッチセンサーを含む。ディスプレーは、各種画面を表示する。タッチセンサーは、ユーザーによる指示を受け付けて、ユーザーによる指示を示す信号を出力する。本実施形態において、操作部１１０は、図１を参照して説明した操作部５として機能する。したがって、本実施形態において、読取装置１は、操作部５を省略する。
【００９６】
給紙部１２０は、シートＳを１枚ずつ給紙する。給紙部１２０は、カセット１２１及び給紙ローラー群１２２を有する。カセット１２１には、複数枚のシートＳが収容される。給紙ローラー群１２２は、カセット１２１に収容されたシートＳを１枚ずつ給紙する。
【００９７】
搬送部１３０は、複数の搬送ローラー及び複数のガイドを有し、給紙部１２０から給紙されたシートＳを排出部１５０まで搬送する。シートＳは、画像形成部１４０を経由して搬送される。
【００９８】
画像形成部１４０は、画像データに基づいてシートＳに画像を形成する。本実施形態において、画像形成部１４０は、読取装置１が出力した原稿画像データに基づいてシートＳに画像を形成する。
【００９９】
画像形成部１４０は、帯電装置１４１、露光装置１４２、感光体ドラム１４３、現像装置１４４、転写装置１４５、及び定着装置１４６を有する。帯電装置１４１は、感光体ドラム１４３を所定の電位に帯電させる。露光装置１４２は、画像データに基づいて感光体ドラム１４３に光を照射する。これにより、感光体ドラム１４３の表面に静電潜像が形成される。現像装置１４４は、感光体ドラム１４３にトナーを供給する。この結果、感光体ドラム１４３に形成された静電潜像が現像されてトナー像が形成される。転写装置１４５は、転写ベルト、及び転写ローラーを有し、感光体ドラム１４３に形成されたトナー像をシートＳに転写する。定着装置１４６は、加熱部材、及び加圧部材を有する。定着装置１４６は、トナー像が転写されたシートＳを加熱、及び加圧することにより、トナー像をシートＳに定着させる。トナー像が定着したシートＳは、搬送部１３０によって排出部１５０へ搬送される。
【０１００】
排出部１５０は、排出ローラーを有する。排出部１５０は、排出口１００ａを介して装置本体１００ｈの外部へシートＳを排出する。
【０１０１】
記憶部１８０は、各種データを記憶する。各種データは、原稿画像データを含む。記憶部１８０は、ストレージデバイス及び半導体メモリーによって構成される。ストレージデバイスは、例えば、ＨＤＤ及び／又はＳＳＤによって構成される。半導体メモリーは、例えば、ＲＡＭ及びＲＯＭを構成する。本実施形態において、記憶部１８０は、図３を参照して説明した記憶部９として機能する。したがって、本実施形態において、読取装置１は、記憶部９を省略する。
【０１０２】
制御部１９０は、ＣＰＵのようなプロセッサーによって構成される。制御部１９０は、記憶部１８０に記憶された制御プログラムを実行することにより、画像形成装置１００の各部（読取装置１）の動作を制御する。換言すると、制御部１９０は、図３を参照して説明した制御部１０として機能する。したがって、本実施形態において、読取装置１は、制御部１０を省略する。
【０１０３】
以上、実施形態５について説明した。本実施形態によれば、ユーザーは、識別文字と、日付、シーケンス番号、及びユーザー名のうちの少なくとも１つの文字列とをファイル名ｆｎとして使用することができる。よって、ユーザーの利便性が向上する。
【０１０４】
また、本実施形態によれば、ユーザーは、原稿画像Ｇに含まれる識別画像ＭＧの色彩を変更することにより、生成するファイル名ｆｎを変更することができる。この結果、ユーザーの利便性が向上する。
【０１０５】
なお、本実施形態において、読取装置１が電子写真方式の画像形成装置１００に適用される場合を説明したが、読取装置１は、インクジェット方式の画像形成装置１００にも適用可能である。
【０１０６】
また、本実施形態において、読取装置１が記憶部９及び制御部１０を省略する場合を説明したが、読取装置１は、記憶部９及び制御部１０を備えてもよい。この場合、制御部１０は、制御部１９０から送信された動作指令に基づいて、読取装置１の各部の動作を制御する。
【０１０７】
以上、本発明の実施形態について、図面（図１〜図１５）を参照しながら説明した。但し、本発明は、上記の実施形態に限られるものではなく、その要旨を逸脱しない範囲で種々の態様において実施することが可能である。また、上記の実施形態で示す数値は、一例であって特に限定されるものではなく、本発明の効果から実質的に逸脱しない範囲で種々の変更が可能である。
【０１０８】
例えば、本発明の実施形態では、制御部１０は、原稿画像データを受信すると、ファイル名生成処理を実行したが、制御部１０は、例えば、ファイル名生成処理を実行するように設定されている場合にのみ、ファイル名生成処理を実行してもよい。ファイル名生成処理を実行するように設定されていない場合、制御部１０は、読取装置１に予め設定されている標準規則にしたがって、原稿画像データのファイル名ｆｎを生成する。
【産業上の利用可能性】
【０１０９】
本発明は、例えば、読取装置及び画像形成装置の分野に有用である。
【符号の説明】
【０１１０】
１          読取装置
６          読取部
９          記憶部
１０        制御部
１００      画像形成装置
【図１】
2020120291.tif 000003
【図２】
2020120291.tif 000004
【図３】
2020120291.tif 000005
【図４】
2020120291.tif 000006
【図５】
2020120291.tif 000007
【図６】
2020120291.tif 000008
【図７】
2020120291.tif 000009
【図８】
2020120291.tif 000010
【図９】
2020120291.tif 000011
【図１０】
2020120291.tif 000012
【図１１】
2020120291.tif 000013
【図１２】
2020120291.tif 000014
【図１３】
2020120291.tif 000015
【図１４】
2020120291.tif 000016
【図１５】
2020120291.tif 000017